(57)【特許請求の範囲】
【請求項１】
移動通信システムで端末の通信方法において、
ビデオ通話のためのＣＳＦＢ（ｃｉｒｃｕｉｔ  ｓｗｉｔｃｈｅｄ  ｆａｌｌ  ｂａｃｋ）をリクエストする情報を含むコール設定リクエストメッセージを第１アクセスネットワークの移動性管理エンティティー（ＭＭＥ：Ｍｏｂｉｌｉｔｙ  Ｍａｎａｇｅｍｅｎｔ  Ｅｎｔｉｔｙ）に送信する段階と、
第２アクセスネットワーク及び第３アクセスネットワークに対する測定のための設定情報を前記第１アクセスネットワークの基地局から受信する段階と、
前記第２アクセスネットワークに対する第１測定、及び前記第３アクセスネットワークに対する第２測定が行われた場合、前記設定情報に基づき、前記第２アクセスネットワークに対する第１測定結果を含み、前記第３アクセスネットワークに対する第２測定結果は含まない測定報告メッセージを、前記第１アクセスネットワークの前記基地局に伝送する段階と、
前記第１測定結果に基づき、ＣＳＦＢに対するコマンド情報を前記第１アクセスネットワークの前記基地局から受信する段階と、
前記コマンド情報に基づき、前記第２アクセスネットワークのセルでスイッチングする段階と、
前記第２アクセスネットワークでコール設定手続きを行う段階と、を含む端末の通信方法。
【請求項２】
前記第１アクセスネットワークは、４Ｇ（４ｔｈ  ｇｅｎｅｒａｔｉｏｎ）ネットワークを含み、
前記４Ｇネットワークは、ＬＴＥ（ｌｏｎｇ  ｔｅｒｍ  ｅｖｏｌｕｔｉｏｎ）システムまたはＬＴＥ−Ａ（ｌｏｎｇ  ｔｅｒｍ  ｅｖｏｌｕｔｉｏｎ  ａｄｖａｎｃｅｄ）システムのうち少なくとも１つを含む
ことを特徴とする、請求項１に記載の端末の通信方法。
【請求項３】
前記第２アクセスネットワークは、３Ｇ（３ｒｄ  ｇｅｎｅｒａｔｉｏｎ）ネットワークを含み、
前記３Ｇネットワークは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）を含む
ことを特徴とする、請求項１に記載の端末の通信方法。
【請求項４】
前記第３アクセスネットワークは、２Ｇ（２ｎｄ  ｇｅｎｅｒａｔｉｏｎ）ネットワークを含み、
前記２Ｇネットワークは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）を含む
ことを特徴とする、請求項１に記載の端末の通信方法。
【請求項５】
前記コマンド情報は、ハンドオーバーコマンドを含む
ことを特徴とする、請求項１に記載の端末の通信方法。
【請求項６】
前記設定情報は、前記第２アクセスネットワークのセルがＣＳＦＢのために高い優先順位を持つことを指示する情報を含む
ことを特徴とする、請求項１に記載の端末の通信方法。
【請求項７】
移動通信システムで基地局の通信方法において、
端末が、アイドルモード（ｉｄｌｅ  ｍｏｄｅ）の場合、第１アクセスネットワークの移動性管理エンティティー（ＭＭＥ：Ｍｏｂｉｌｉｔｙ  Ｍａｎａｇｅｍｅｎｔ  Ｅｎｔｉｔｙ）からＣＳＦＢ（ｃｉｒｃｕｉｔ  ｓｗｉｔｃｈｅｄ  ｆａｌｌ  ｂａｃｋ）を指示する情報、またはハンドオーバー制限リスト（ＨＲＬ：ｈａｎｄｏｖｅｒ  ｒｅｓｔｒｉｃｔｉｏｎ  ｌｉｓｔ）のうち少なくとも１つを含むコンテキスト設定リクエストメッセージを受信する段階と、
前記端末が、接続モード（ｃｏｎｎｅｃｔｅｄ  ｍｏｄｅ）の場合、前記第１アクセスネットワークの前記ＭＭＥから前記ＣＳＦＢを指示する情報、または前記ＨＲＬのうち少なくとも１つを含むコンテキスト修正リクエストメッセージを受信する段階と、
前記受信したコンテキスト設定リクエストメッセージ、または前記受信したコンテキスト修正リクエストメッセージのうち少なくとも１つに基づき、第２アクセスネットワーク及び第３アクセスネットワークに対する測定のための設定情報を前記端末に送信する段階と、
前記第２アクセスネットワークに対する第１測定、及び前記第３アクセスネットワークに対する第２測定が前記端末によって行われた場合、前記設定情報に基づき、前記第２アクセスネットワークに対する第１測定結果を含み、前記第３アクセスネットワークに対する第２測定結果は含まない測定報告メッセージを、前記端末から受信する段階と、
前記第１測定結果に基づき、ＣＳＦＢに対するコマンド情報を前記端末に送信する段階と、を含む基地局の通信方法。
【請求項８】
前記第１アクセスネットワークは、４Ｇ（４ｔｈ  ｇｅｎｅｒａｔｉｏｎ）ネットワークを含み、
前記４Ｇネットワークは、ＬＴＥ（ｌｏｎｇ  ｔｅｒｍ  ｅｖｏｌｕｔｉｏｎ）システムまたはＬＴＥ−Ａ（ｌｏｎｇ  ｔｅｒｍ  ｅｖｏｌｕｔｉｏｎ  ａｄｖａｎｃｅｄ）システムのうち少なくとも１つを含む
ことを特徴とする、請求項７に記載の基地局の通信方法。
【請求項９】
前記第２アクセスネットワークは、３Ｇ（３ｒｄ  ｇｅｎｅｒａｔｉｏｎ）ネットワークを含み、前記３Ｇネットワークは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）を含み、
前記第３アクセスネットワークは、２Ｇ（２ｎｄ  ｇｅｎｅｒａｔｉｏｎ）ネットワークを含み、前記２Ｇネットワークは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）を含む
ことを特徴とする、請求項７に記載の基地局の通信方法。
【請求項１０】
前記コマンド情報は、ハンドオーバーコマンドを含む
ことを特徴とする、請求項７に記載の基地局の通信方法。
【請求項１１】
前記設定情報は、前記第２アクセスネットワークのセルがＣＳＦＢのために高い優先順位を持つことを指示する情報を含む
ことを特徴とする、請求項７に記載の基地局の通信方法。
【請求項１２】
移動通信システムの端末において、
送受信部と、
前記送受信部と接続されており、ビデオ通話のためのＣＳＦＢ（ｃｉｒｃｕｉｔ  ｓｗｉｔｃｈｅｄ  ｆａｌｌ  ｂａｃｋ）をリクエストする情報を含むコール設定リクエストメッセージを第１アクセスネットワークの移動性管理エンティティー（ＭＭＥ：Ｍｏｂｉｌｉｔｙ  Ｍａｎａｇｅｍｅｎｔ  Ｅｎｔｉｔｙ）に送信し、第２アクセスネットワーク及び第３アクセスネットワークに対する測定のための設定情報を前記第１アクセスネットワークの基地局から受信し、前記第２アクセスネットワークに対する第１測定、及び前記第３アクセスネットワークに対する第２測定が行われた場合、前記設定情報に基づき、前記第２アクセスネットワークに対する第１測定結果を含み、前記第３アクセスネットワークに対する第２測定結果は含まない測定報告メッセージを、前記第１アクセスネットワークの前記基地局に伝送し、前記第１測定結果に基づき、ＣＳＦＢに対するコマンド情報を前記第１アクセスネットワークの前記基地局から受信し、前記コマンド情報に基づき、前記第２アクセスネットワークのセルでスイッチングし、前記第２アクセスネットワークでコール設定手続きを行うように制御する制御部と、を含む端末。
【請求項１３】
前記第１アクセスネットワークは、４Ｇ（４ｔｈ  ｇｅｎｅｒａｔｉｏｎ）ネットワークを含み、
前記４Ｇネットワークは、ＬＴＥ（ｌｏｎｇ  ｔｅｒｍ  ｅｖｏｌｕｔｉｏｎ）システムまたはＬＴＥ−Ａ（ｌｏｎｇ  ｔｅｒｍ  ｅｖｏｌｕｔｉｏｎ  ａｄｖａｎｃｅｄ）システムのうち少なくとも１つを含む
ことを特徴とする、請求項１２に記載の端末。
【請求項１４】
前記第２アクセスネットワークは、３Ｇ（３ｒｄ  ｇｅｎｅｒａｔｉｏｎ）ネットワークを含み、
前記３Ｇネットワークは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）を含む
ことを特徴とする、請求項１２に記載の端末。
【請求項１５】
前記第３アクセスネットワークは、２Ｇ（２ｎｄ  ｇｅｎｅｒａｔｉｏｎ）ネットワークを含み、
前記２Ｇネットワークは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）を含む
ことを特徴とする、請求項１２に記載の端末。
【請求項１６】
前記コマンド情報は、ハンドオーバーコマンドを含む
ことを特徴とする、請求項１２に記載の端末。
【請求項１７】
前記設定情報は、前記第２アクセスネットワークのセルがＣＳＦＢのために高い優先順位を持つことを指示する情報を含む
ことを特徴とする、請求項１２に記載の端末。
【請求項１８】
移動通信システムの基地局において、
送受信部と、
前記送受信部と接続されており、端末が、アイドルモード（ｉｄｌｅ  ｍｏｄｅ）の場合、第１アクセスネットワークの移動性管理エンティティー（ＭＭＥ：Ｍｏｂｉｌｉｔｙ  Ｍａｎａｇｅｍｅｎｔ  Ｅｎｔｉｔｙ）からＣＳＦＢ（ｃｉｒｃｕｉｔ  ｓｗｉｔｃｈｅｄ  ｆａｌｌ  ｂａｃｋ）を指示する情報、またはハンドオーバー制限リスト（ＨＲＬ：ｈａｎｄｏｖｅｒ  ｒｅｓｔｒｉｃｔｉｏｎ  ｌｉｓｔ）のうち少なくとも１つを含むコンテキスト設定リクエストメッセージを受信し、前記端末が、接続モード（ｃｏｎｎｅｃｔｅｄ  ｍｏｄｅ）の場合、前記第１アクセスネットワークの前記ＭＭＥから前記ＣＳＦＢを指示する情報、または前記ＨＲＬのうち少なくとも１つを含むコンテキスト修正リクエストメッセージを受信し、前記受信したコンテキスト設定リクエストメッセージ、または前記受信したコンテキスト修正リクエストメッセージのうち少なくとも１つに基づき、第２アクセスネットワーク及び第３アクセスネットワークに対する測定のための設定情報を前記端末に送信し、前記第２アクセスネットワークに対する第１測定、及び前記第３アクセスネットワークに対する第２測定が前記端末によって行われた場合、前記設定情報に基づき、前記第２アクセスネットワークに対する第１測定結果を含み、前記第３アクセスネットワークに対する第２測定結果は含まない測定報告メッセージを、前記端末から受信し、前記第１測定結果に基づき、ＣＳＦＢに対するコマンド情報を前記端末に送信するように制御する制御部と、を含む基地局。
【請求項１９】
前記第１アクセスネットワークは、４Ｇ（４ｔｈ  ｇｅｎｅｒａｔｉｏｎ）ネットワークを含み、
前記４Ｇネットワークは、ＬＴＥ（ｌｏｎｇ  ｔｅｒｍ  ｅｖｏｌｕｔｉｏｎ）システムまたはＬＴＥ−Ａ（ｌｏｎｇ  ｔｅｒｍ  ｅｖｏｌｕｔｉｏｎ  ａｄｖａｎｃｅｄ）システムのうち少なくとも１つを含む
ことを特徴とする、請求項１８に記載の基地局。
【請求項２０】
前記第２アクセスネットワークは、３Ｇ（３ｒｄ  ｇｅｎｅｒａｔｉｏｎ）ネットワークを含み、前記３Ｇネットワークは、ＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）を含み、
前記第３アクセスネットワークは、２Ｇ（２ｎｄ  ｇｅｎｅｒａｔｉｏｎ）ネットワークを含み、前記２Ｇネットワークは、ＧＳＭ（ｇｌｏｂａｌ  ｓｙｓｔｅｍ  ｆｏｒ  ｍｏｂｉｌｅ  ｃｏｍｍｕｎｉｃａｔｉｏｎｓ）を含む
ことを特徴とする、請求項１８に記載の基地局。
【請求項２１】
前記コマンド情報は、ハンドオーバーコマンドを含む
ことを特徴とする、請求項１８に記載の基地局。
【請求項２２】
前記設定情報は、前記第２アクセスネットワークのセルがＣＳＦＢのために高い優先順位を持つことを指示する情報を含む
ことを特徴とする、請求項１８に記載の基地局。
【発明の詳細な説明】
【技術分野】
【０００１】
本発明は、移動通信ネットワークでビデオ通話が発生した時、ビデオ通話を設定するアクセス網を選択することに関する。より詳しくは、ビデオ通話を設定すべきである場合、ビデオ通話が要求するデータ送信率を充分に満足させることができない網でユーザ端末がスイッチングされる場合、コール設定に失敗したりサービス品質が低下することができる問題を解決する技術に関する。
【背景技術】
【０００２】
一般的に、移動通信システムは、ユーザの活動性を保障すると共に音声サービスを提供するために開発された。しかし、移動通信システムは段々音声だけではなくデータサービスまで領域を確張しており、現在には高速のデータサービスを提供することができる程度まで発展しつつある。しかし、現在サービスが提供されている移動通信システムではリソースの不足現象があり、ユーザがより高速のサービスを求めるので、より発展した移動通信システムが求められている。
【０００３】
このようなニーズに応じて次世代移動通信システムとして開発中である一つのシステムとして、３ＧＰＰ(Ｔｈｅ ３ｒｄ Ｇｅｎｅｒａｔｉｏｎ Ｐａｒｔｎｅｒｓｈｉｐ Ｐｒｏｊｅｃｔ)でＬＴＥ(Ｌｏｎｇ Ｔｅｒｍ Ｅｖｏｌｕｔｉｏｎ)に対する規格作業が進行しつつある。ＬＴＥは、最大１００Ｍｂｐｓ程度の送信速度を持つ高速パケットに基づく通信を具現する技術である。このために様々な方案が論議されているが、例えば、ネットワークの構造を簡単にして通信路上に位置するノードの数を減らす方案や、無線プロトコルを最大限無線チャンネルに近接させる方案などがある。
【０００４】
図１は、一般的なＬＴＥ移動通信システムの構造を示す図面である。  
【０００５】
図１を参照すれば、示されたようにＬＴＥ移動通信システムの無線アクセスネットワークは次世代基地局(Ｅｖｏｌｖｅｄ Ｎｏｄｅ Ｂ、ＥＵＴＲＡＮ、以下、基地局またはｅＮＢ若しくはＮｏｄｅ Ｂと言う)１０５、１１０、１１５，１２０と移動性管理エンティティー(ＭＭＥ:Ｍｏｂｉｌｉｔｙ Ｍａｎａｇｅｍｅｎｔ Ｅｎｔｉｔｙ)１２５、及びＳ-ＧＷ(ＳｅｒｖｉｎｇＧａｔｅｗａｙ)１３０などを含むことができる。
【０００６】
ユーザ端末(ＵＥ: Ｕｓｅｒ Ｅｑｕｉｐｍｅｎｔ)１３５は、ｅＮＢ(１０５、１１０、１１５，１２０)及びＳ-ＧＷ１３０、及びＰ-ＧＷ(ＰＤＮ Ｇａｔｅｗａｙ;Ｐａｃｋｅｔ ＤａｔａＮｅｔｗｏｒｋ Ｇａｔｅｗａｙ)(図示せず)などを介して外部ネットワークに接続する。
【０００７】
ｅＮＢは、ＲＡＮ(Ｒａｄｉｏ Ａｃｃｅｓｓ Ｎｅｔｗｏｒｋ)ノードとして、ＵＴＲＡＮ(Ｕｎｉｖｅｒｓａｌ Ｔｅｒｒｅｓｔｒｉａｌ Ｒａｄｉｏ Ａｃｃｅｓｓ Ｎｅｔｗｏｒｋ)システムのＲＮＣ(Ｒａｄｉｏ Ｎｅｔｗｏｒｋ Ｃｏｎｔｒｏｌｌｅｒ)及びＧＥＲＡＮ(ＧＳＭＥＤＧＥ Ｒａｄｉｏ Ａｃｃｅｓｓ Ｎｅｔｗｏｒｋ)システムのＢＳＣ(Ｂａｓｅ Ｓｔａｔｉｏｎ Ｃｏｎｔｒｏｌｌｅｒ)に対応される。ｅＮＢ(１０５、１１０、１１５、１２０)はＵＥ１００と無線チャンネルで接続されて既存のＲＮＣ／ＢＳＣと類似の役目を行う。ｅＮＢは幾つのセルを同時に用いることができる。
【０００８】
ＬＴＥではインターネットプロトコルを通じるＶｏＩＰ(Ｖｏｉｃｅ ｏｖｅｒＩＰ)のようなリアルタイムサービスを含めたすべてのユーザトラフィックが共用チャンネル(ｓｈａｒｅｄ ｃｈａｎｎｅｌ)を介してサービスされるので、ＵＥ１００の状況情報を集めてスケジューリングをする装置が必要である。このようにＵＥ１００の状況情報を集めてスケジューリングをする動作をｅＮＢが担当する。
【０００９】
Ｓ-ＧＷ１３０は、データベアラーを提供する装置で、ＭＭＥ１２０の制御に応じてデータベアラーを生成したり除去する。
【００１０】
一方、図示されないが、ＬＴＥ移動通信システムのコアネットワークは、前述したＭＭＥ１２０と、Ｓ-ＧＷ１３０の外にも、アプリケーション機能(ＡＦ:Ａｐｐｌｉｃａｔｉｏｎ Ｆｕｎｃｔｉｏｎ)、政策及び課金規則機能(ＰＣＲＦ:Ｐｏｌｉｃｙａｎｄ Ｃｈａｒｇｉｎｇ Ｒｕｌｅｓ Ｆｕｎｃｔｉｏｎ)、Ｐ-ＧＷのようなノード(図示せず)などをさらに含むことができる。
【００１１】
アプリケーション機能(Ａｐｐｌｉｃａｔｉｏｎ Ｆｕｎｃｔｉｏｎ、ＡＦ)は、ユーザとアプリケーション水準でアプリケーションに係る情報を交換する装置である。
【００１２】
ＰＣＲＦ(Ｐｏｌｉｃｙ ａｎｄ Ｃｈａｒｇｉｎｇ Ｒｕｌｅｓ Ｆｕｎｃｔｉｏｎ)は、ユーザのサービス品質(ＱｏＳ:Ｑｕａｌｉｔｙ ｏｆ Ｓｅｒｖｉｃｅ)に係る政策(ｐｏｌｉｃｙ)を制御する装置であり、政策に該当するＰＣＣ(Ｐｏｌｉｃｙ ａｎｄ Ｃｈａｒｇｉｎｇ Ｃｏｎｔｒｏｌ)規則(ｒｕｌｅ)はＰ-ＧＷに伝達して適用される。前記ＰＣＲＦ(Ｐｏｌｉｃｙ ａｎｄ Ｃｈａｒｇｉｎｇ Ｒｕｌｅｓ Ｆｕｎｃｔｉｏｎ)はトラフィックに対するＱｏＳ及び課金を総括的に制御するエンティティーである。
【００１３】
一方、一般的にＵＰとはユーザのデータが送受信されるＵＥ１００とＲＡＮノード(１０５、１１０、１１５、１２０)うちのいずれか１つ、ＲＡＮノードとＳ-ＧＷ１３０、及びＳ-ＧＷ１３０とＰ-ＧＷ(図示せず)を接続する経路を称する。ところで、この経路の中でリソースの制限がひどい無線チャンネルを用いる部分はＵＥ１００とＲＡＮノードの間の経路である。
【００１４】
一方、ＬＴＥのような無線通信システムでＱｏＳを適用することができる単位はＥＰＳ(Ｅｖｏｌｖｅｄ Ｐａｃｋｅｔ Ｓｙｓｔｅｍ)ベアラーである。一つのＥＰＳベアラーは同一のＱｏＳ要求事項を持つＩＰフロー(ＩＰ Ｆｌｏｗ)を送信することに用いられる。ＥＰＳベアラーにはＱｏＳに係るパラメーターが指定されることができ、ここにはサービス品質クラス識別子(ＱＣＩ:ＱｏＳ Ｃｌａｓｓ Ｉｄｅｎｔｉｆｉｅｒ)と割り当て、及び保有優先順位(ＡＲＰ:Ａｌｌｏｃａｔｉｏｎ ａｎｄ Ｒｅｔｅｎｔｉｏｎ Ｐｒｉｏｒｉｔｙ)が含まれる。前記ＱＣＩは、ＱｏＳ優先順位を定数値と定義したパラメーターであり、ＡＲＰは新しいＥＰＳベアラー生成を許諾または拒絶するか否かを判断するパラメーターである。
【００１５】
ＥＰＳベアラーは、ＧＰＲＳ(Ｇｅｎｅｒａｌ Ｐａｃｋｅｔ Ｒａｄｉｏ Ｓｅｒｖｉｃｅ)システムのＰＤＰ(Ｐａｃｋｅｔ Ｄａｔａ Ｐｒｏｔｏｃｏｌ)コンテクスト(ＰＤＰ ｃｏｎｔｅｘｔ)に対応される。一つのＥＰＳベアラーはＰＤＮコネクション(ＰＤＮ ｃｏｎｎｅｃｔｉｏｎ)に属するようになり、ＰＤＮコネクションはＡＰＮ(Ａｃｃｅｓｓ Ｐｏｉｎｔ Ｎａｍｅ)を属性で持つことができる。もし、ＶｏＬＴＥ(Ｖｏｉｃｅ ｏｖｅｒ ＬＴＥ)のようなＩＭＳ(ＩＰ Ｍｕｌｔｉｍｅｄｉａ Ｓｕｂｓｙｓｔｅｍ)サービスのためのＰＤＮコネクションが生成された場合、当該ＰＤＮコネクションはよく知られた(ｗｅｌｌ-ｋｎｏｗｎ)ＩＭＳＡＰＮを用いて生成されなければならない。
【００１６】
一方、ＬＴＥ網では音声通話をサポートするためにＰＳ(Ｐａｃｋｅｔ Ｓｗｉｔｃｈｅｄ)方式でＩＭＳ基盤のＶｏＬＴＥ(Ｖｏｉｃｅｏ ｖｅｒ ＬＴＥ)技術を使用したり、或いは２世代または３世代(２Ｇ／３Ｇ)システムのＣＳ(ＣｉｒｃｕｉｔＳｗｉｔｃｈｅｄ)方式を再利用するＣＳＦＢ(Ｃｉｒｃｕｉｔ Ｓｗｉｔｃｈｅｄ Ｆａｌｌ Ｂａｃｋ)技術を使用することができる。ＬＴＥ網でＶｏＬＴＥはＶｏＩＭＳ(Ｖｏｉｃｅ ｏｖｅｒ ＩＭＳ)と同様の概念で使用されることができる用語である。一般的に、２ＧシステムＧＳＭ（登録商標）(Ｇｌｏｂａｌ Ｓｙｓｔｅｍ ｆｏｒ Ｍｏｂｉｌｅ Ｃｏｍｍｕｎｉｃａｔｉｏｎｓ)またはＲＡＮ(Ｒａｄｉｏ Ａｃｃｅｓｓ Ｎｅｔｗｏｒｋ)でＧＥＲＡＮ(ＧＳＭＥＤＧＥＲａｄｉｏ Ａｃｃｅｓｓ Ｎｅｔｗｏｒｋ)を用いるシステムを称し、３ＧシステムはＵＭＴＳ(Ｕｎｉｖｅｒｓａｌ Ｍｏｂｉｌｅ Ｔｅｌｅｃｏｍｍｕｎｉｃａｔｉｏｎｓ Ｓｙｓｔｅｍ)またはＲＡＮでＵＴＲＡＮ(Ｕｎｉｖｅｒｓａｌ Ｔｅｒｒｅｓｔｒｉａｌ Ｒａｄｉｏ Ａｃｃｅｓｓ Ｎｅｔｗｏｒｋ)を用いるシステムを称する。
【００１７】
このような無線通信システム、特にＬＴＥシステムで端末がＬＴＥネットワークを用いる途中の受信または発信音声コールが発生すると、音声サービスのためにＣＳ(Ｃｉｒｃｕｉｔ Ｓｗｉｔｃｈｅｄ)網でスイッチングするＣＳＦＢ(Ｃｉｒｃｕｉｔ Ｓｗｉｔｃｈｅｄ Ｆａｌｌ Ｂａｃｋ)過程が行なわれる。この場合、前記端末に対する認証手続きを別に経なければならないから、音声サービス提供に遅延が生ずることができる。一般的に、２Ｇ／３ＧシステムはＣＳサービスを提供することができるＣＳ網であり、ＣＳサービスに係る制御を担当するエンティティーをＭＳＣ(Ｍｏｂｉｌｅ Ｓｗｉｔｃｈｉｎｇ Ｃｅｎｔｅｒ)(またはＶＬＲ(Ｖｉｓｉｔｏｒ Ｌｏｃａｔｉｏｎ Ｒｅｇｉｓｔｅｒ))と称する。ＬＴＥにおいて、ＣＳサービスのためのスイッチング機能を提供するＣＳＦＢは、ＭＳＣ／ＶＬＲとＭＭＥの間にＳＧｓインターフェースを活用してなる。
【発明の概要】
【発明が解決しようとする課題】
【００１８】
もし、ユーザ端末に対してビデオ通話が発生すると、ビデオ通話が要求するデータ送信率をサポートすることができる網を介してコールを設定すべきである。一般的に、ビデオ通話は音声と画像データから構成されるから音声単独通話に比べてより多いデータ送信率を要求する。もし、ユーザ端末がＬＴＥにアクセスしている時、ビデオ通話が発生すると、ビデオ通話をサポートすることができる網でユーザ端末をスイッチングしなければならないが、発生したコールがビデオ通話であることを感知することができなくビデオ通話をサポートすることができない網、またはビデオ通話はサポートするがデータ送信リソースが不十分な網(例えば、２Ｇネットワーク)でユーザ端末をスイッチングさせると、コール設定が失敗したりサービス品質が低下することができる。
【００１９】
これに、上述した問題点を解決するために、主な目的は、ビデオ通話が発生した場合、ビデオ通話をサポートすることができる網でユーザ端末を早くスイッチングすることができる方法及びその装置を提供することにある。
【００２０】
また、ユーザ端末がビデオ通話をサポートすることができない網またはビデオ通話はサポートするがデータ送信リソースが不十分な網(例えば、２Ｇ網)へのスイッチングを防止し、ビデオ通話が可能な網で早いスイッチングを介してコール設定の失敗またはサービス品質の低下を防止する方法及びその装置を提供することを目的とする。
【００２１】
本発明において、達成しようとする技術的課題は、前記で言及した技術的課題に制限されず、言及されないほかの技術的課題は以下の記載から本発明が属する技術分野で通常の知識を有する者に明確に理解されることができるだろう。
【課題を解決するための手段】
【００２２】
前記の技術的課題を達成するための本発明の多様な実施形態による移動通信システムで端末の通信方法は、ビデオ通話コール設定のためのリクエストメッセージを送信する段階と、ＣＳＦＢ(Ｃｉｒｃｕｉｔ Ｓｗｉｔｃｈｅｄ  Ｆａｌｌ Ｂａｃｋ)のためのスイッチングコマンドを受信する段階と、及び前記スイッチングコマンドが指示する選択された対象セルが２Ｇセルであり、前記端末が接続可能な３Ｇセルが存在する場合、前記３Ｇセルでスイッチングしてビデオ通話コール設定をする段階と、を含むことができる。さらに、基地局から測定報告リクエストメッセージを受信する段階と、及び３Ｇセルに対する測定結果に対する情報のみを含む測定報告メッセージを前記基地局に送信する段階と、をさらに含むことができる。さらに、前記測定報告メッセージを前記基地局に送信する段階は、前記測定報告リクエストメッセージに測定対象で２Ｇセルと３Ｇセルがいずれも含まれた場合でも、前記３Ｇセルに対する測定のみを行う段階と、及び前記３Ｇセルに対する測定結果に対する情報を含む前記測定報告メッセージを前記基地局に送信する段階と、を含むことができる。
【００２３】
また、前記測定報告メッセージを前記基地局に送信する段階は、２Ｇセル及び３Ｇセルのいずれもに対する測定を行う段階と、及び前記２Ｇセルに対する測定結果に対する情報を除いた前記測定報告メッセージを前記基地局に送信する段階と、を含むことができる。さらに、前記ビデオ通話コール設定のためのリクエストメッセージはリクエストされたサービスがビデオ通話であることを指示する情報を含むことができる。さらに、前記ビデオ通話コール設定をする段階は、２Ｇセルでスイッチングしてビデオ通話コール設定を試み、前記ビデオ通話コール設定が失敗した場合、接続可能な３Ｇセルを検索する段階と、及び検索された３Ｇセルでスイッチングしてビデオ通話のためのコール設定をする段階と、をさらに含むことができる。
【００２４】
また、前記ビデオ通話コール設定のためのリクエストメッセージを送信する段階は、前記端末がアイドルモード(ｉｄｌｅ ｍｏｄｅ)の場合、接続可能な３Ｇセルを検索する段階と、及び検索された３Ｇセルでスイッチングしてビデオ通話のためのコール設定をする段階と、を含むことができる。また、前記ビデオ通話コール設定をする段階は、前記スイッチングコマンドがＲＲＣ(ｒａｄｉｏ ｒｅｓｏｕｒｃｅ ｃｏｎｔｒｏｌ)接続解除(ＲＲＣ ｃｏｎｎｅｃｔｉｏｎ ｒｅｌｅａｓｅ)メッセージであり、前記スイッチングコマンドにスイッチング対象セル情報が含まれていない場合、２Ｇ及び３Ｇ周波数に対する優先順位を確認する段階と、前記２Ｇ周波数の優先順位が３Ｇ周波数の優先順位より高い場合、設定された優先順位を無視して接続可能な３Ｇセルを検索する段階と、及び検索された３Ｇセルでスイッチングしてビデオ通話のためのコール設定をする段階と、を含むことができる。
【００２５】
また、前記の技術的課題を達成するための本発明の多様な実施形態による移動通信システムで基地局の通信方法は、ビデオ通話コール設定のためのリクエストメッセージを端末から受信する段階と、移動性管理エンティティー(ＭＭＥ:Ｍｏｂｉｌｉｔｙ Ｍａｎａｇｅｍｅｎｔ Ｅｎｔｉｔｙ)からＣＳＦＢ(Ｃｉｒｃｕｉｔ Ｓｗｉｔｃｈｅｄ  Ｆａｌｌ Ｂａｃｋ)の遂行情報を含むメッセージを受信する段階と、前記端末に測定報告リクエストメッセージを送信する段階と、３Ｇセルに対する測定結果に対する情報のみを含む測定報告メッセージを前記端末から受信する段階と、前記受信した測定報告メッセージを用いてスイッチングする対象セルを選択する段階と、及び前記端末に前記スイッチングする対象セルの情報を含むスイッチングコマンドを送信する段階と、を含むことができる。さらに、前記ＣＳＦＢの遂行情報を含むメッセージは、ＣＳＦＢがビデオ通話コール設定のためのことを指示する情報をさらに含むことができる。
【００２６】
また、前記測定報告リクエストメッセージを送信する段階は、前記測定報告リクエストメッセージに測定対象で３Ｇセルのみを含んで前記端末に測定報告リクエストメッセージを送信する段階と、を含むことができる。さらに、前記ＣＳＦＢの遂行情報を含むメッセージは、２Ｇセルへの接続が許容されないことを指示する情報を含むハンドオーバー制限リスト(ＨＲＬ:Ｈａｎｄｏｖｅｒ Ｒｅｓｔｒｉｃｔｉｏｎ Ｌｉｓｔ)を含むことができる。さらに、ＭＭＥから受信ビデオ通話コールが発生したことを示す情報を含むページング(ｐａｇｉｎｇ)メッセージを受信する段階と、をさらに含むことができる。
【００２７】
また、前記の技術的課題を達成するための本発明の多様な実施形態による移動通信システムで移動性管理エンティティー(ＭＭＥ:Ｍｏｂｉｌｉｔｙ Ｍａｎａｇｅｍｅｎｔ Ｅｎｔｉｔｙ)の通信方法は、ビデオ通話コール設定のためのリクエストメッセージを端末から受信する段階と、及び基地局にＣＳＦＢ(Ｃｉｒｃｕｉｔ Ｓｗｉｔｃｈｅｄ  Ｆａｌｌ Ｂａｃｋ)の遂行情報を含むメッセージを送信する段階と、を含み、前記ＣＳＦＢの遂行情報を含むメッセージは、ＣＳＦＢがビデオ通話コール設定のためのことを指示する情報をさらに含むことができる。さらに、ＭＳＣ(Ｍｏｂｉｌｅ Ｓｗｉｔｃｈｉｎｇ Ｃｅｎｔｅｒ)から受信ビデオ通話コールが発生したことを示す情報を含むページング(ｐａｇｉｎｇ)メッセージを受信する段階と、及び前記基地局または端末に受信ビデオ通話コールが発生したことを示す情報を含むメッセージを送信する段階と、をさらに含むことができる。
【００２８】
また、前記の技術的課題を達成するための本発明の多様な実施形態による移動通信システムのユーザ端末は、他のネットワークエンティティーと通信する無線送受信部と、及びビデオ通話コール設定のためのリクエストメッセージを送信し、ＣＳＦＢ(Ｃｉｒｃｕｉｔ Ｓｗｉｔｃｈｅｄ  Ｆａｌｌ Ｂａｃｋ)のためのスイッチングコマンドを受信し、前記スイッチングコマンドが指示する選択された対象セルが２Ｇセルであり、前記端末が接続可能な３Ｇセルが存在する場合、前記３Ｇセルでスイッチングしてビデオ通話コール設定をするように制御する制御部と、を含むことができる。
【００２９】
また、前記の技術的課題を達成するための本発明の多様な実施形態による移動通信システムの基地局が提供される。前記基地局は、他のネットワークエンティティーと通信する無線送受信部と、及びビデオ通話コール設定のためのリクエストメッセージを端末から受信し、移動性管理エンティティー(ＭＭＥ:Ｍｏｂｉｌｉｔｙ Ｍａｎａｇｅｍｅｎｔ Ｅｎｔｉｔｙ)からＣＳＦＢ(Ｃｉｒｃｕｉｔ Ｓｗｉｔｃｈｅｄ  Ｆａｌｌ Ｂａｃｋ)の遂行情報を含むメッセージを受信し、前記端末に測定報告リクエストメッセージを送信し、３Ｇセルに対する測定結果に対する情報のみを含む測定報告メッセージを前記端末から受信し、前記受信した測定報告メッセージを用いてスイッチングする対象セルを選択し、前記端末に前記スイッチングする対象セルの情報を含むスイッチングコマンドを送信するように制御する制御部と、を含むことができる。
【００３０】
また、前記の技術的課題を達成するための本発明の多様な実施形態による移動通信システムのＭＭＥが提供される。前記ＭＭＥは、他のネットワークエンティティーと通信する無線送受信部と、及びビデオ通話コール設定のためのリクエストメッセージを端末から受信し、基地局にＣＳＦＢ(Ｃｉｒｃｕｉｔ Ｓｗｉｔｃｈｅｄ  Ｆａｌｌ Ｂａｃｋ)の遂行情報を含むメッセージを送信するように制御する制御部と、を含み、前記ＣＳＦＢの遂行情報を含むメッセージは、ＣＳＦＢがビデオ通話コール設定のためのことを指示する情報をさらに含むことができる。
【００３１】
以下の詳細な説明の記載の前に本特許出願明細書全体に用いられる単語及び段落の幾つかの定義をすることが有利である。“含む”等の派生語は制限すること無しに含むことができるということを意味する；“または”は、‘及び／または’を含むことを意味し、“連関された”、“係る”等の派生語は含む、その中に含まれる、互いに連関される、互いに接続される、互いに通信する、互いに動作する、差し込む、併置する、最も近い、近くの、持つ、特性を持つ、等を意味する;“制御部”はどんな装置、システムまたはそれらの一部の少なくとも一つの動作を制御し、そのような装置はハードウェア、ファームウエアまたはソフトウェアまたはそれらの少なくとも２個の組合に具現されることができる。どんな特定制御部の連関された機能は近くにまたは遠くに構わなく集中化されたり分散することができる。このような単語または構文の定義は本特許出願明細書を介して定義され、当業者はこれを理解し、大概の場合にはこのような定義は従来だけではなく将来の使用に対しても適用されることができる。
【発明の効果】
【００３２】
本発明の多様な実施形態によれば、ビデオ通話が発生した場合、ビデオ通話をサポートすることができる網でユーザ端末を早くスイッチングすることができる。
【００３３】
また、ユーザ端末がビデオ通話をサポートすることができない網またはビデオ通話はサポートするがデータ送信リソースが不十分な網(例えば、２Ｇ網)へのスイッチングを防止し、ビデオ通話が可能な網で早いスイッチングを介してコール設定の失敗またはサービス品質の低下を防止することができる。
【００３４】
本発明で得られる効果は前述した効果に制限されず、前述しない他の効果は以下の記載から本発明が属する技術分野で通常の知識を有する者に明確に理解されることができるだろう。
【図面の簡単な説明】
【００３５】
【図１】一般的なＬＴＥ移動通信システムの構造を示す図面である。
【図２】本発明の多様な実施形態によってユーザがビデオ通話発信を試みた時、処理するユーザ端末の動作の一例を示す図面である。
【図３】本発明の多様な実施形態によってユーザがビデオ通話発信を試みた時、処理するユーザ端末の動作の一例を示す図面である。
【図４】本発明の多様な実施形態による全体的なシステムの動作流れ図の一例を示す図面である。
【図５】本発明の多様な実施形態による全体的なシステムの動作流れ図の一例を示す図面である。
【図６】本発明の多様な実施形態による全体的なシステム動作の流れ図の一例を示す図面である。
【図７】本発明の多様な実施形態によるユーザがビデオ通話発信を試みた時、処理するユーザ端末の動作の一例を示す図面である。
【図８】本発明の多様な実施形態によるユーザがビデオ通話発信を試みた時、処理するユーザ端末の動作の一例を示す図面である。
【図９】本発明の多様な実施形態によるユーザがビデオ通話発信を試みた時、処理するユーザ端末の動作の一例を示す図面である。
【図１０】本発明の多様な実施形態によって受信コールが発生した時、全体的なシステムの動作流れ図の一例を示す図面である。
【図１１】本発明の多様な実施形態によって受信コールが発生した時、全体的なシステムの動作流れ図の一例を示す図面である。
【図１２】本発明の多様な実施形態によって受信コールが発生した時、全体的なシステムの動作流れ図の一例を示す図面である。
【図１３】本発明の多様な実施形態によるユーザ端末の内部構造を示したブロック構成図の一例である。
【図１４】本発明の多様な実施形態による基地局の内部構造を示したブロック構成図の一例である。
【図１５】本発明の多様な実施形態によるＭＭＥの内部構造を示したブロック構成図の一例である。
【発明を実施するための形態】
【００３６】
以下、図１乃至図１５及び本特許出願明細書内の主な特徴に対して説明している多様な実施形態は説明のためのことで、これは本発明の範囲を制限するものではない。当業者は本発明の要旨は無線通信システムに適宜に適用されることができるということに対して理解することができるだろう。添付された図面を参照して本発明の好ましい実施形態を詳しく説明する。この時、添付された図面で同様の構成要素は可能な同様の符号に付している事に留意すべきである。また、本発明の要旨を不明瞭にすることができる公知機能及び構成に対する詳細な説明は省略するだろう。そして、後述される用語は本発明における機能を考慮して定義された用語として、これはユーザ、運用者の意図または慣例などによって変わることができる。よって、その定義は本明細書全般にわたった内容に基づいて下すべきであろう。
【００３７】
また、本発明の実施形態を具体的に説明するにあたり、ＯＦＤＭに基づく無線通信システム、特に３ＧＰＰ ＥＵＴＲＡ標準を主な対象とするが、本発明の主な要旨は類似の技術的背景及びチャンネル形態を持つそのほかの通信システムにも本発明の範囲を大きく逸脱せず範囲で僅かの変形で適用可能であり、これは本発明の技術分野で熟練された技術的知識を有する者の判断で可能であろう。また、本発明においてＬＴＥシステムとは、ＬＴＥ-Ａ(Ａｄｖａｎｃｅｄ)を含む意味で理解することにする。
【００３８】
また、本発明において端末は固定されたり移動性を持つことができ、ＭＳ(Ｍｏｂｉｌｅ Ｓｔａｔｉｏｎ)、ＭＴ(Ｍｏｂｉｌｅ Ｔｅｒｍｉｎａｌ)、ＵＴ(Ｕｓｅｒ Ｔｅｒｍｉｎａｌ)、ＳＳ(Ｓｕｂｓｃｒｉｂｅｒ Ｓｔａｔｉｏｎ)、無線機器(Ｗｉｒｅｌｅｓｓ Ｄｅｖｉｃｅ)、ＰＤＡ(Ｐｅｒｓｏｎａｌ Ｄｉｇｉｔａｌ Ａｓｓｉｓｔａｎｔ)、無線モデム(Ｗｉｒｅｌｅｓｓ Ｍｏｄｅｍ)、携帯機器(Ｈａｎｄｈｅｌｄ Ｄｅｖｉｃｅ)など他の用語と呼ばれることができる。また、端末機、ユーザ及びユーザ装置(ＵＥ:Ｕｓｅｒ Ｅｑｕｉｐｍｅｎｔ)とも呼ばれることができる。
【００３９】
また、本発明の実施形態を具体的に説明するにあたり、ユーザ端末がＬＴＥを使用してから、音声サービスのためにＣＳ(Ｃｉｒｃｕｉｔ Ｓｗｉｔｃｈｅｄ)網でスイッチングするＣＳＦＢ(Ｃｉｒｃｕｉｔ Ｓｗｉｔｃｈｅｄ  Ｆａｌｌ Ｂａｃｋ)過程を主な対象とするが、本発明の主な要旨は一つのシステムで特定サービスのために他のシステムにスイッチングする場合、必要な認証／保安情報交換過程を縮めることにあり、これは類似の技術的背景を有するそのほかの通信システムやサービスにも本発明の範囲を大きく逸脱せず範囲で僅かの変形で適用可能であり、これは本発明の技術分野で熟練された技術的知識を有する者の判断で可能であろう。
【００４０】
一方、本明細書及び図面において、ＬＴＥ網はＥ-ＵＴＲＡＮと同様の意味で用いられることができ、ＣＳ網のＣＳサービスをサポートすることができるＵＴＲＡＮ、ＧＥＲＡＮ、ＣＤＭＡ２０００、またはそれらと類似の網であることができ、これらを総称してレガシー網と呼ぶことができる。また、本明細書及び図面において一つの網に存在するということは一つの網に接続(Ｃｏｎｎｅｃｔｅｄ)中であるか、アイドル(ｉｄｌｅ)状態でｃａｍｐｉｎｇ中の２つの場合をいずれも包括することができる。また、基地局という用語はＥ-ＵＴＲＡＮの場合にはＥＮＢに対応される。また、本発明の実施形態及び図面において、ホーム加入者サーバー(ＨＳＳ:Ｈｏｍｅ Ｓｕｂｓｃｒｉｂｅｒ Ｓｅｒｖｅｒ)は、ホーム位置レジスター(ＨＬＲ:Ｈｏｍｅ Ｌｏｃａｔｉｏｎ Ｒｅｇｉｓｔｅｒ)と同一であるか、物理的に付いているエンティティーであることができる。
【００４１】
以後、本発明の実施形態をビデオ通話が発信(Ｍｏｂｉｌｅ  Ｏｒｉｇｉｎａｔｉｎｇ)で発生された時と、受信または着信(Ｍｏｂｉｌｅ Ｔｅｒｍｉｎａｔｉｎｇ)として発生した時に分けて説明する。
【００４２】
図２は、本発明の多様な実施形態によってユーザがビデオ通話発信を試みた時、処理するユーザ端末の動作の一例を示す図面である。
【００４３】
２１０段階でユーザがＬＴＥ網にキャンピング(ｃａｍｐｉｎｇ)された状態でビデオ通話発信を試みれば、２２０段階でユーザ端末はこれを感知して接続中の事業者網にコール設定のためのリクエストメッセージを送信するようになる。もし、ユーザ端末がＣＳＦＢを使用する場合であれば、ユーザ端末は事業者網でＥｘｔｅｎｄｅｄ Ｓｅｒｖｉｃｅ Ｒｅｑｕｅｓｔメッセージを送信してＣＳＦＢが必要であることをリクエストすることができる。
【００４４】
この時、事業者網はＣＳＦＢが可能な場合、端末に２Ｇまたは３Ｇ網にスイッチングに対するコマンド、すなわち、ＣＳＦＢ遂行コマンドを送信することができる。実施形態によって、このようなコマンドはＨＯ ｃｏｍｍａｎｄ、ＮＡＣＣ(Ｎｅｔｗｏｒｋ Ａｓｓｉｓｔｅｄ Ｃｅｌｌ Ｃｈａｎｇｅ)、またはＲＲＣ ｃｏｎｎｅｃｔｉｏｎ ｒｅｌｅａｓｅのうちのいずれか１つである。
【００４５】
これによって、２３０段階でユーザ端末は事業者網からスイッチングコマンド、すなわち、ＣＳＦＢ遂行のコマンドが含まれたメッセージを受信することができる。ユーザ端末は前記スイッチングコマンドを受信すると、２４０段階でスイッチングコマンドメッセージに含まれた情報を用いて２Ｇ／３Ｇセルを選択してスイッチングを行うことができる。
【００４６】
具体的に説明すると、もし、ユーザ端末が３Ｇセルでスイッチングしてコール設定をするようにするコマンドを事業者網から受信した場合、ユーザ端末は３Ｇ網にスイッチングしてコール設定を試みることができる。
【００４７】
ところで、前述したように、もし、ユーザ端末が接続することができる３Ｇセルがあるにもかかわらず、２３０段階で事業者網の端末に２Ｇセルで接続するようにコマンドしたり、或いは情報を提供することができる。このような状況はユーザ端末の現在チャンネル状態が３Ｇ網に比べて２Ｇ網がより良いとか、或いはそれぞれの網に接続中のユーザ端末の数に応じて発生することができる。この場合に、前述したように、ビデオ通話の成功確率またはサービス品質を高めるため、２４０段階でユーザ端末は前記の状況で恣意的に２Ｇセルの代わりに３Ｇセルを選択して接続をし、ビデオ通話のためのコール設定を試みることができる。すなわち、事業者網から２Ｇセルでスイッチングするようにするコマンドを受信した場合でもユーザ端末は３Ｇ網にスイッチングしてコール設定を試みることができる。
【００４８】
図３は、本発明の多様な実施形態によってユーザがビデオ通話発信を試みた時、処理するユーザ端末の動作の一例を示す図面である。
【００４９】
図３を参考すれば、ユーザ端末は測定報告を用いて３Ｇセルへの接続を誘導してビデオ通話のためのＣＳＦＢを試みることができる。
【００５０】
３１０段階でユーザがＬＴＥ網にキャンピング(ｃａｍｐｉｎｇ)された状態でビデオ通話発信を試みれば、３２０段階でユーザ端末はこれを感知して接続中の事業者網にコール設定のためのリクエストメッセージを送信するようになる。もし、ユーザ端末がＣＳＦＢを使用する場合であれば、ユーザ端末は事業者網でＥｘｔｅｎｄｅｄ Ｓｅｒｖｉｃｅ Ｒｅｑｕｅｓｔメッセージを送信してＣＳＦＢが必要であることをリクエストすることができる。
【００５１】
この時、事業者網はユーザ端末からＣＳＦＢのリクエストを受けた場合、ユーザ端末がスイッチングする対象セルを選択するための情報収集のために端末に測定を行ったり測定された結果の報告コマンドを送信することができる。これにより、ユーザ端末は３３０段階で事業者網から測定設定情報が含まれたメッセージを受信することができる。そして、これを受信したユーザ端末は測定設定が伝達された場合、これに基づいて測定を行い、測定された結果を事業者網に報告しなければならない。
【００５２】
この時、３４０段階でユーザ端末は周辺に接続可能な２Ｇセルが存在し、測定情報を持っている場合でも事業者網に送信する測定報告メッセージに２Ｇセルに対する測定情報を含ませないこともある。または、ユーザ端末は測定報告メッセージに接続可能な２Ｇセルがないという情報を含ませることもできる。
【００５３】
これにより事業者網のＣＳＦＢのための対象セルを選択する時、３Ｇセルだけを考慮することができるようになり、これによってユーザ端末を３Ｇ網でスイッチングさせることができるようになる。
【００５４】
この時、実施形態によって、ユーザ端末は３２０段階で受信した測定設定情報が含まれたメッセージによれば測定対象に２Ｇセルと３Ｇセルのいずれも含まれた場合でも、２Ｇセルに対する測定は行わず３Ｇセルに対する測定だけを行って報告メッセージを生成することができる。または、ユーザ端末は３２０段階で受信した測定設定情報が含まれたメッセージの設定に応じて測定対象に２Ｇセルと３Ｇセルがいずれも含まれた場合、２Ｇセル及び３Ｇセルのいずれも測定を行い、３Ｇセルが検出された場合には３Ｇセル情報のみを事業者網に報告することもできる。もし、ユーザ端末が２Ｇセル及び３Ｇセルのいずれも測定を行ったが、３Ｇセルは検出されず２Ｇセルだけ検出された場合、ユーザ端末は２Ｇセルの情報を事業者網に報告することができる。
【００５５】
以後、ユーザ端末は事業者網から選択された３Ｇセルでスイッチングをするようにスイッチングコマンドを受信することができる。そして、それによってユーザ端末は３Ｇ網でスイッチングをしてコール設定を試みることができる。この時、上述したようにユーザ端末の測定報告メッセージは３Ｇセルに対する情報のみを含むので、事業者網は受信した測定報告メッセージによってＣＳＦＢのためのセルで３Ｇセルを選択するようになる。
【００５６】
図４は、本発明の多様な実施形態による全体的なシステムの動作流れ図の一例を示す図面である。
【００５７】
４５０段階でユーザがＬＴＥ網にキャンピング(ｃａｍｐｉｎｇ)された状態でビデオ通話発信を試みれば、４５５段階でユーザ端末４１０はこれを感知して接続中の事業者網にコール設定のためのリクエストメッセージを送信するようになる。もし、ユーザ端末４１０がＣＳＦＢを使用する場合であれば、ユーザ端末４１０は基地局４２０を介してＭＭＥ４３０までＥｘｔｅｎｄｅｄ Ｓｅｒｖｉｃｅ Ｒｅｑｕｅｓｔメッセージを送信してＣＳＦＢが必要であることをリクエストすることができる。
【００５８】
４６０段階でＭＭＥ４３０はＣＳＦＢが適用されることができる場合、基地局４２０にＣＳＦＢの遂行メッセージを送信することができる。この時、ユーザ端末４１０がアイドル(ｉｄｌｅ)モードの場合にＭＭＥ４３０はＣＳＦＢ識別子(ｉｎｄｉｃａｔｏｒ)を含むＳ１ ｉｎｉｔｉａｌ ｃｏｎｔｅｘｔ ｓｅｔｕｐ Ｒｅｑｕｅｓｔメッセージ基地局４２０に送信することができる。または、ユーザ端末４１０が接続(ｃｏｎｎｅｃｔｅｄ)モードの場合にＭＭＥ４３０はＣＳＦＢ識別子(ｉｎｄｉｃａｔｏｒ)を含むＳ１ ＵＥ ｃｏｎｔｅｘｔ ｍｏｄｉｆｉｃａｔｉｏｎ Ｒｅｑｕｅｓｔメッセージ基地局４２０に送信することができる。そして、４６５段階で基地局４２０はＭＭＥ４３０に前記４６０段階で受信したＣＳＦＢの遂行メッセージに対する応答メッセージを送信することができる。この時、前記応答メッセージはＣＳＦＢ識別子(ｉｎｄｉｃａｔｏｒ)を含むことができる。
【００５９】
これを介してユーザ端末４１０に対してＣＳＦＢが必要であることを感知した基地局４２０は、ユーザ端末４１０をスイッチングさせるセルを選択するために４７０段階でユーザ端末４１０に測定結果を報告するようにコマンドすることができる。この時、基地局４２０がユーザ端末４１０に送信する測定報告リクエストメッセージには前記ユーザ端末４１０が測定を行うための測定設定情報が含まれることができる。前記測定設定情報は実施形態によって、測定対象に２Ｇセルと３Ｇセルがいずれも含まれることができる。若しくは、実施形態によって測定設定情報は測定対象として３Ｇセルだけを含むこともできる。
【００６０】
前記４７０段階で測定コマンドを受信したユーザ端末４１０は測定設定が伝達された場合、これに基づいて測定を行い、４７５段階で測定された結果を報告しなければならない。この時、ユーザ端末４１０は周辺に接続可能な２Ｇセルが存在し、測定情報を持っている場合でも事業者網に送信する測定報告メッセージに２Ｇセルに対する測定情報を含ませないこともある。または、ユーザ端末４１０は測定報告メッセージに接続可能な２Ｇセルがないという情報を含ませることができる。
【００６１】
これにより事業者網のＣＳＦＢのための対象セルを選択する時、３Ｇセルだけを考慮することができるようになり、これによってユーザ端末を３Ｇ網でスイッチングさせることができるようになる。
【００６２】
このために、実施形態によってユーザ端末４１０は測定対象に２Ｇセルと３Ｇセルがいずれも含まれた場合でも、２Ｇセルに対する測定は行わず３Ｇセルに対する測定だけを行って報告メッセージを生成することができる。または、ユーザ端末４１０は設定の通り２Ｇセル及び３Ｇセルのいずれも測定を行って３Ｇセルが検出された場合には３Ｇセル情報のみ事業者網に報告することもできる。もし、ユーザ端末４１０が２Ｇセル及び３Ｇセルいずれも測定を行ったが、３Ｇセルは検出されず２Ｇセルだけ検出された場合、ユーザ端末４１０は２Ｇセルの情報を事業者網に報告することができる。
【００６３】
４７５段階でユーザ端末４１０から測定報告メッセージを受信した基地局４２０は４８０段階でユーザ端末４１０がスイッチングをするセルを選択することができる。この時、上述したようにユーザ端末４１０の測定報告メッセージは３Ｇセルに対する情報のみを含むので、基地局４２０はＣＳＦＢのためのセルで３Ｇセルを選択するようになる。
【００６４】
その後、４８５段階で基地局４２０は選択された３Ｇセルでユーザ端末４１０がスイッチングをするようにスイッチングコマンドをユーザ端末４１０に送信することができる。そして、４９０段階でユーザ端末４１０は基地局４２０から受信したスイッチングコマンドに応じて３Ｇ網でスイッチングしてコール設定を試みることができる。
【００６５】
以上ではユーザ端末の測定報告メッセージを用いて３Ｇセルへの接続を誘導してビデオ通話を試みる方法に対して説明した。一方、ユーザ端末の発生したコールがビデオ通話であることを感知して事業者網に明示的(ｅｘｐｌｉｃｉｔ)で通知すると、事業者網がユーザ端末にビデオ通話をサポートして十分なリソースを割り当てることができるセルを選択して通知する方法があり得る。以下、この方法に対して説明する。
【００６６】
図５は、本発明の多様な実施形態による全体的なシステムの動作の流れ図の一例を示す図面である。図５を参考すれば、ユーザ端末５１０が事業者網に明示的にビデオ通話が発生したことを通知し、これにより事業者網がビデオ通話をサポートすることができるセルでユーザ端末５１０をＣＳＦＢさせることができる。
【００６７】
ユーザがＬＴＥ網にキャンピング(ｃａｍｐｉｎｇ)された状態でビデオ通話発信を試みれば、５５０段階でユーザ端末５１０はこれを感知して接続中の事業者網にコール設定のためのリクエストメッセージを送信するようになる。もし、ユーザ端末５１０がＣＳＦＢを使用する場合であれば、ユーザ端末５１０は基地局５２０を介してＭＭＥ５３０までＥｘｔｅｎｄｅｄ Ｓｅｒｖｉｃｅ Ｒｅｑｕｅｓｔメッセージを送信してＣＳＦＢが必要であることをリクエストすることができる。
【００６８】
この時、ユーザ端末５１０は現在リクエストされたサービスがビデオ通話であることを指示する情報を含んで前記コール設定のためのリクエストメッセージを送信することができる。例えば、Ｅｘｔｅｎｄｅｄ Ｓｅｒｖｉｃｅ Ｒｅｑｕｅｓｔメッセージのサービスタイプ(ｓｅｒｖｉｃｅｔｙｐｅ)をＭＯ ＣＳＦＢ ｆｏｒ Ｖｉｄｅｏ Ｔｅｌｅｐｈｏｎｙ(映像発信コールのためのＣＳＦＢ)と設定することができる。すなわち、サービスタイプ(ｓｅｒｖｉｃｅ ｔｙｐｅ)の予約された(ｒｅｓｅｒｖｅｄ)ビットのうちのいずれか１つを映像発信コールのためのＣＳＦＢとし、ユーザ端末５１０は設定されたサービスタイプ情報をＭＭＥ５３０に送信することができる。
【００６９】
５５５段階でＭＭＥ５３０はＣＳＦＢが適用されることができる場合、基地局５２０にＣＳＦＢの遂行メッセージを送信することができる。この時、ユーザ端末５１０がアイドル(ｉｄｌｅ)モードの場合にＭＭＥ５３０はＣＳＦＢ識別子(ｉｎｄｉｃａｔｏｒ)を含むＳ１ ｉｎｉｔｉａｌ ｃｏｎｔｅｘｔ ｓｅｔｕｐ Ｒｅｑｕｅｓｔメッセージ基地局５２０に送信することができる。または、ユーザ端末５１０が接続(ｃｏｎｎｅｃｔｅｄ)モードの場合にＭＭＥ５３０はＣＳＦＢ識別子(ｉｎｄｉｃａｔｏｒ)を含むＳ１ ＵＥｃｏｎｔｅｘｔ ｍｏｄｉｆｉｃａｔｉｏｎ Ｒｅｑｕｅｓｔメッセージ基地局５２０に送信することができる。この時、前記ＣＳＦＢの遂行メッセージはＣＳＦＢがビデオ通話のためのことを指示する情報を含むことができる。例えば、前記ＣＳＦＢの遂行メッセージに含まれたＣＳＦＢ識別子(ｉｎｄｉｃａｔｏｒ)はビデオ通話のためのことを指示する識別子であることができる。これにより５７０段階で事業者網(例えば、基地局５２０)はＣＳＦＢのための対象セルを選択する時、３Ｇセルだけを考慮することができるようになる。そして、基地局５２０はこれによってユーザ端末５１０に選択された３Ｇセルへのスイッチングコマンドを送信し、５８０段階でユーザ端末５１０を３Ｇ網でＣＳＦＢとＰＳＨＯ(Ｐａｃｋｅｔ Ｓｗｉｔｃｈｅｄ Ｈａｎｄｏｖｅｒ)させることができるようにする。
【００７０】
または、実施形態によって前記５５５段階でＭＭＥ５３０は基地局５２０に送信する前記ＣＳＦＢの遂行メッセージにハンドオーバー制限リスト(ＨＲＬ：Ｈａｎｄｏｖｅｒ Ｒｅｓｔｒｉｃｔｉｏｎ Ｌｉｓｔ)を含み、このＨＲＬで、例えば、２Ｇをｆｏｒｂｉｄｄｅｎと設定して送信することができる。これを受信した基地局５２０はユーザ端末５１０に対して２Ｇセル接続が許容されないことを分かる。そして、これによって基地局５２０は５７０段階でＣＳＦＢのための対象セルを選択する時、３Ｇセルだけを考慮することができるようになる。そして、基地局５２０はこれにより５７５段階でユーザ端末５１０に選択された３Ｇセルへのスイッチングコマンドを送信し、５８０段階でユーザ端末５１０を３Ｇ網でＣＳＦＢとＰＳＨＯさせることができるようにする。
【００７１】
実施形態によって、５６０段階で基地局５２０はユーザ端末５１０に測定(Ｍｅａｓｕｒｅｍｅｎｔ)結果の報告コマンドを下すことができる。この時、測定結果報告リクエストメッセージには３Ｇセルだけを測定対象で含ませることができる。そして、それによる３Ｇセルの測定結果を５６５段階でユーザ端末５１０が基地局５２０に送信することができる。その後、基地局５２０は受信した測定結果を用いて５７０段階でＣＳＦＢのための対象セルを選択することができる。
【００７２】
一方、実施形態によって前記５７５段階で基地局５２０がユーザ端末５１０にＣＳＦＢコマンドを下す時には、ハンドオーバーコマンド(Ｈａｎｄｏｖｅｒ Ｃｏｍｍａｎｄ(ＲＲＣ ｃｏｎｎｅｃｔｉｏｎ ｒｅｃｏｎｆｉｇｕｒａｔｉｏｎメッセージ使用))メッセージを用いることができる。前記スイッチングコマンドメッセージにはスイッチング対象となるセルの情報(前記ビデオ通話サポートが可能なセル)、例えば、セルのＩＤ、動作周波数、システム情報の一部または全体が含まれて伝達することができる。一方、もし、事業者網でＣＳＦＢ発生時のＰＳＨＯを使用しない場合にも、殆ど類似の方法が適用されることができる。
【００７３】
図６は、本発明の多様な実施形態による全体的なシステム動作の流れ図の一例を示す図面である。図６を参考すれば、ＣＳＦＢ発生時のＰＳＨＯの代わりにＲＲＣ接続解除(ＲＲＣ ｃｏｎｎｅｃｔｉｏｎ ｒｅｌｅａｓｅ)やＮＡＣＣ(Ｎｅｔｗｏｒｋ Ａｓｓｉｓｔｅｄ Ｃｅｌｌ Ｃｈａｎｇｅ)を用いることができる。この時の状況及び解決方法は、前記図５に係る部分で説明した実施形態と殆ど類似である。
【００７４】
ユーザがＬＴＥ網にキャンピング(ｃａｍｐｉｎｇ)された状態でビデオ通話発信を試みれば、６５０段階でユーザ端末６１０はこれを感知して接続中の事業者網にコール設定のためのリクエストメッセージを送信するようになる。もし、ユーザ端末６１０がＣＳＦＢを使用する場合であれば、ユーザ端末６１０は基地局６２０を介してＭＭＥ６３０までＥｘｔｅｎｄｅｄ Ｓｅｒｖｉｃｅ Ｒｅｑｕｅｓｔメッセージを送信してＣＳＦＢが必要であることをリクエストすることができる。
【００７５】
この時、ユーザ端末６１０は現在リクエストされたサービスがビデオ通話であることを指示する情報を含んで前記コール設定のためのリクエストメッセージを送信することができる。例えば、Ｅｘｔｅｎｄｅｄ Ｓｅｒｖｉｃｅ Ｒｅｑｕｅｓｔメッセージのサービスタイプ(ｓｅｒｖｉｃｅｔｙｐｅ)をＭＯＣＳＦＢ ｆｏｒ Ｖｉｄｅｏ Ｔｅｌｅｐｈｏｎｙ(映像発信コールのためのＣＳＦＢ)と設定することができる。すなわち、サービスタイプ(ｓｅｒｖｉｃｅ ｔｙｐｅ)の予約された(ｒｅｓｅｒｖｅｄ)ビットのうちのいずれか１つを映像発信コールのためのＣＳＦＢとし、ユーザ端末６１０は設定されたサービスタイプ情報をＭＭＥ６３０に送信することができる。  
【００７６】
６５５段階でＭＭＥ６３０はＣＳＦＢが適用されることができる場合、基地局６２０にＣＳＦＢの遂行メッセージを送信することができる。この時、ユーザ端末６１０がアイドル(ｉｄｌｅ)モードの場合にＭＭＥ６３０はＣＳＦＢ識別子(ｉｎｄｉｃａｔｏｒ)を含むＳ１ ｉｎｉｔｉａｌ ｃｏｎｔｅｘｔ ｓｅｔｕｐ Ｒｅｑｕｅｓｔメッセージ基地局６２０に送信することができる。または、ユーザ端末６１０が接続(ｃｏｎｎｅｃｔｅｄ)モードの場合にＭＭＥ６３０はＣＳＦＢ識別子(ｉｎｄｉｃａｔｏｒ)を含むＳ１ ＵＥｃｏｎｔｅｘｔ ｍｏｄｉｆｉｃａｔｉｏｎ Ｒｅｑｕｅｓｔメッセージ基地局６２０に送信することができる。
【００７７】
実施形態によって、６６０段階で基地局６２０はユーザ端末６１０に測定(ｍｅａｓｕｒｅｍｅｎｔ)結果の報告コマンドを下すことができる。この時、測定結果報告リクエストメッセージには３Ｇセルだけを測定対象で含ませることができる。そして、それによる３Ｇセルの測定結果を６６５段階でユーザ端末６１０が基地局６２０に送信することができる。
【００７８】
６７０段階で事業者網はＣＳＦＢのための対象セルを選択する時、ビデオ通話を充分にサポートすることができるセル、例えば、３Ｇセルだけを考慮することができるようになる。そして、基地局６２０はこれにより６７５段階でユーザ端末６１０に選択された３Ｇセルへのスイッチングコマンドを送信し、６８０段階でユーザ端末６１０を３Ｇ網でスイッチングさせることができるようになる。
【００７９】
この時、前記６７５段階で基地局６２０がユーザ端末５１０にＲＲＣ ｃｏｎｎｅｃｔｉｏｎ ｒｅｌｅａｓｅまたはＣｅｌｌ Ｃｈａｎｇｅ Ｏｒｄｅｒコマンドを用いることができる。前記スイッチングコマンドメッセージにはスイッチング対象となるセルの情報(前記ビデオ通話サポートが可能なセル)、例えばセルのＩＤ、動作周波数、システム情報の一部または全体が含まれて伝達することができる。この時、実施形態によって前記スイッチングコマンドメッセージは３Ｇセルの優先順位がより高いことを指示する情報を含むことができる。これによりユーザ端末６１０はスイッチングするセルで３Ｇセルを優先して選択することができる。
【００８０】
以上ではユーザ端末の発生したコールがビデオ通話であることを感知して事業者網に明示的(ｅｘｐｌｉｃｉｔ)で通知すると、事業者網がユーザ端末にビデオ通話をサポートして十分なリソースを割り当てることができるセルを選択して通知する方法に対して説明した。
【００８１】
一方、もし、ユーザ端末が発信ビデオ通話が発生したことを感知した場合、ユーザ端末はＬＴＥ網を介してＣＳＦＢをリクエストすることではなく、代わりに恣意的に３Ｇ網にスイッチングして直ちにビデオ通話設定過程を経ることができる。この場合、ユーザ端末はユーザ端末に記憶された３Ｇセル情報(セルＩＤ、周波数、信号強度、システム情報など)がある場合、これを再利用することもできる。このような方法を使用すると、もしＣＳＦＢリクエスト時、高い確率で２Ｇでスイッチングされる場合、ビデオ通話設定成功確率を高めることができる。以下、この方法に対して説明する。
【００８２】
図７は、本発明の多様な実施形態によるユーザがビデオ通話発信を試みた時、処理するユーザ端末の動作の一例を示す図面である。図７を参考すれば、ユーザ端末がビデオ通話発生を感知し、恣意的に３Ｇ網にスイッチングすることができる。
【００８３】
７１０段階でユーザ端末はコール発信試みが検出されると、７２０段階でリクエストされたコールの種類がビデオ通話であるか、音声通話であるか判断する。
【００８４】
７２０段階で判断結果、もしコールの種類がビデオ通話であり、ユーザ端末の現在状態がアイドルモード(ｉｄｌｅ ｍｏｄｅ)であれば、ユーザ端末は元々動作であるＣＳＦＢ過程を行うのではなく、７４０段階で周辺の３Ｇセルを検索することができる。そして、ユーザ端末はスイッチングのための３Ｇセルを選択することができる。
【００８５】
その後、７５０段階でユーザ端末は選択された３Ｇセルでスイッチングすることができる。この時、実施形態によって、もし登録過程(ＬＡ ｕｐｄａｔｅまたはＡｔｔａｃｈ)が必要であれば登録過程を行うことができる。そして、ユーザ端末はビデオ通話のためのコール設定を３Ｇセルを介してリクエストする。この時、もしユーザ端末に保存された３Ｇセル情報(セルＩＤ、周波数、システム情報など)があると、３Ｇセルを検索、選択、または接続を試みるのに、これらの情報が用いられることができる。
【００８６】
一方、もし、７２０段階で判断結果、ユーザがリクエストしたコールの種類が音声通話であるか、またはユーザ端末が現在接続モード(ｃｏｎｎｅｃｔｅｄ ｍｏｄｅ)であれば、ユーザ端末は７３０段階でＣＳＦＢ過程を行うことができる。
【００８７】
以上ではユーザ端末がビデオ通話発生を感知し、恣意的に３Ｇ網にスイッチングする動作に対して説明した。
【００８８】
一方、ユーザ端末は発信ビデオ通話が発生した場合、ＣＳＦＢ過程を行って、ＣＳＦＢ過程によってビデオ通話設定に失敗した場合、直ちに３Ｇセルでスイッチングしてビデオ通話設定を試みることもできる。以下、この方法に対して説明する。
【００８９】
図８は、本発明の多様な実施形態によるユーザがビデオ通話発信を試みた時、処理するユーザ端末の動作の一例を示す図面である。図８を参考すれば、ユーザ端末がビデオ通話設定に失敗した場合、３Ｇセルでスイッチングしてビデオ通話設定を試みることができる。
【００９０】
８１０段階でユーザがＬＴＥ網にキャンピング(ｃａｍｐｉｎｇ)された状態でビデオ通話発信を試みれば、８２０段階でユーザ端末はこれを感知して接続中の事業者網にコール設定のためのリクエストメッセージを送信するようになる。もし、ユーザ端末がＣＳＦＢを用いる場合であれば、ユーザ端末は事業者網でＥｘｔｅｎｄｅｄ Ｓｅｒｖｉｃｅ Ｒｅｑｕｅｓｔメッセージを送信してＣＳＦＢが必要であることをリクエストすることができる。
【００９１】
以後、８３０段階及び８４０段階でユーザ端末はＣＳＦＢ過程によって２Ｇまたは３Ｇセルでスイッチングしてビデオ通話設定のための動作を行う。すなわち、８３０段階でユーザ端末は事業者網からスイッチングコマンド、すなわち、ＣＳＦＢの遂行コマンドが含まれたメッセージを受信することができる。ユーザ端末は前記スイッチングコマンドを受信すると、８４０段階でスイッチングコマンドメッセージに含まれた情報を用いて２Ｇ／３Ｇセルを選択してスイッチングを行い、ビデオ通話設定を行うことができる。ところが、もし、ＣＳＦＢ過程によってスイッチングしたセルが２Ｇセルであり、リソースが十分ではなくビデオ通話設定に失敗した場合、ユーザ端末は周辺の３Ｇセルを検索し、３Ｇセルでスイッチングすることができる。
【００９２】
すなわち、８５０段階でユーザ端末はビデオ通話設定が失敗し、ＣＳＦＢ過程によってスイッチングしたセルが２Ｇセルであるか否かを判断することができる。判断結果、ビデオ通話設定が失敗し、スイッチングしたセルが２Ｇセルの場合、８６０段階でユーザ端末は周辺３Ｇセルを検索することができる。そして、ユーザ端末はスイッチングのための３Ｇセルを選択することができる。
【００９３】
その後、８７０段階でユーザ端末は選択された３Ｇセルでスイッチングすることができる。この時、実施形態によって、もし登録過程(ＬＡ ｕｐｄａｔｅまたはＡｔｔａｃｈ)が必要であれば行うことができる。そして、ユーザ端末はビデオ通話のためのコール設定を３Ｇセルを介してリクエストすることができる。この時、もしユーザ端末に記憶された３Ｇセル情報(セルＩＤ、周波数、システム情報など)があると、３Ｇセルを検索、選択、または接続を試みるのに、これらの情報が用いられることができる。
【００９４】
以上ではユーザ端末がビデオ通話設定に失敗した場合、３Ｇセルでスイッチングしてビデオ通話設定を試みる方法に対して説明した。
【００９５】
一方、ユーザがビデオ通話をリクエストしてＣＳＦＢ過程が開始された場合に、事業者網でユーザ端末を２Ｇ／３Ｇ網でスイッチングさせながら何らのセル情報を与えないこともある。このような場合をブラインド(ｂｌｉｎｄ)セル選択と言うが、この場合にはユーザ端末が直接接続するセルを選択することができる。この場合、もし、ＲＦＳＰ(Ｒａｄｉｏ ａｃｃｅｓｓｔｙｐｅ／Ｆｒｅｑｕｅｎｃｙ ｏｆ Ｓｅｌｅｃｔｉｏｎ Ｐｒｉｏｒｉｔｙ)ｉｎｄｅｘまたはＳＰＩＤ(Ｓｅｒｖｉｃｅ Ｐｒｏｆｉｌｉｎｇ Ｉｄｅｎｔｉｔｙ)によって２Ｇの優先順位が３Ｇの優先順位より高く設定された場合、ユーザ端末は優先的に２Ｇセルを選択しなければならないが、この場合、ビデオ通話コール設定に失敗することができるので、ユーザ端末は３Ｇセルを選択することができる。以下、この方法に対して説明する。
【００９６】
図９は、本発明の多様な実施形態によるユーザがビデオ通話発信を試みた時、処理するユーザ端末の動作の一例を示す図面である。図９を参考すれば、ＣＳＦＢ過程の中でブラインド(ｂｌｉｎｄ)セル選択が適用される場合、ユーザ端末が３Ｇセルを優先的に選択することができる。
【００９７】
９１０段階でユーザがＬＴＥ網にキャンピング(ｃａｍｐｉｎｇ)され状態でビデオ通話発信を試みれば、９２０段階でユーザ端末はこれを感知して接続中の事業者網にコール設定のためのリクエストメッセージを送信するようになる。もし、ユーザ端末がＣＳＦＢを使用する場合であれば、ユーザ端末は事業者網でＥｘｔｅｎｄｅｄ Ｓｅｒｖｉｃｅ Ｒｅｑｕｅｓｔメッセージを送信してＣＳＦＢが必要であることをリクエストすることができる。
【００９８】
以後、９３０段階でユーザ端末はＣＳＦＢ過程によって２Ｇまたは３Ｇセルでスイッチングしてビデオ通話設定のための動作を行う。すなわち、９３０段階でユーザ端末は事業者網からスイッチングコマンド、すなわち、ＣＳＦＢのためのＲＲＣメッセージを受信することができる。
【００９９】
ところが、もし、ＣＳＦＢ過程中に前記９３０段階でユーザ端末が事業者網から受信するコマンドメッセージがＲＲＣ ｃｏｎｎｅｃｔｉｏｎ ｒｅｌｅａｓｅメッセージで、このメッセージにセル情報が含まれなければ、ユーザ端末が直接接続するセルを選択しなければならない。すなわち、９４０段階でユーザ端末はＲＲＣ ｃｏｎｎｅｃｔｉｏｎ ｒｅｌｅａｓｅメッセージを受信し、このメッセージにセル情報が含まれなかったのか判断することができる。
【０１００】
そして、ＲＲＣ ｃｏｎｎｅｃｔｉｏｎ ｒｅｌｅａｓｅメッセージを受信し、このメッセージにセル情報が含まれない場合、９５０段階でユーザ端末は２Ｇ／３Ｇ周波数に対する優先順位を確認することができる。この時、実施形態に応じてＲＲＣ ｃｏｎｎｅｃｔｉｏｎ ｒｅｌｅａｓｅメッセージに２Ｇ／３Ｇ周波数に対する優先順位が設定されているか、またはユーザ端末に予め２Ｇ／３Ｇ周波数に対する優先順位が設定されていることもある。
【０１０１】
前記９５０段階でユーザ端末が２Ｇ／３Ｇ周波数に対する優先順位を確認した結果、２Ｇの優先順位が３Ｇより優先順位が高くビデオ通話コール設定が必要であれば、９６０段階でユーザ端末は設定された優先順位を無視して３Ｇセルを検索し、３Ｇセルを優先的に選択することができる。
【０１０２】
その後、９７０段階でユーザ端末は選択された３Ｇセルでスイッチングすることができる。この時、実施形態によって、もし、登録過程(ＬＡ ｕｐｄａｔｅまたはＡｔｔａｃｈ)が必要であれば行うことができる。そして、ユーザ端末はビデオ通話のためのコール設定を３Ｇセルを介してリクエストすることができる。さらに、この時、もしユーザ端末に記憶された３Ｇセル情報(セルＩＤ、周波数、システム情報など)があると、３Ｇセルを検索、選択、または接続を試みるのに、これらの情報が用いられることができる。
【０１０３】
以上ではＣＳＦＢ過程中にブラインド(ｂｌｉｎｄ)セル選択が適用される場合、ユーザ端末が３Ｇセルを優先的に選択する方法に対して説明した。
【０１０４】
一方、前記図２乃至図９に係る部分で説明した本発明の実施形態において、ユーザ端末はユーザが新しい発信コール設定をリクエストした時、リクエストされたコールがビデオ通話であるか、或いは単純な音声通話であるか否かを判断することができる。これは、ユーザ端末内の通話ソフトウェア(ＳＷ(例えば、ダイヤラー(ｄｉａｌｅｒ)と呼ばれるソフトウェア))が通信機能制御部にリクエストされた発信コールのサービス形態を通知することでなることができる。
【０１０５】
または、通話ＳＷがユーザによりビデオ通話発信がリクエストされた場合(例えば、ユーザが通話ＳＷ内のユーザインターフェース(ｕｓｅｒ ｉｎｔｅｒｆａｃｅ)でビデオ通話ボタンまたはアイコンを押すイベント(ｅｖｅｎｔ)によって感知されることができる)ビデオ通話発信をリクエストする通信制御部がＳＷに提供するアプリケーションプログラムインターフェース(ＡＰＩ:Ａｐｐｌｉｃａｔｉｏｎ Ｐｒｏｇｒａｍ Ｉｎｔｅｒｆａｃｅ)を呼び出すことによってなることもできる。
【０１０６】
以上ではビデオ通話が発信された場合にユーザ端末の動作及び全体的なシステムの動作に対して説明した。
【０１０７】
ところが、もし、受信ビデオ通話が発生した場合にもＣＳＦＢが適用されると、類似の問題が発生することができる。以下では受信コールの場合に問題を解決するための実施形態に対して説明する。
【０１０８】
もし、受信ビデオ通話コールが発生すると、ビデオ通話コール設定のためのリクエストメッセージが事業者網のＭＳＣ(Ｍｏｂｉｌｅ Ｓｗｉｔｃｈｉｎｇ Ｃｅｎｔｅｒ)に到着するようになる。ＭＳＣは到着した受信コールがビデオ通話であるかを判断することができる。ＭＳＣは受信ＣＳＦＢ過程を行うためにＭＭＥにページング(ｐａｇｉｎｇ)リクエストをしながら、ＭＭＥに発生したコールがビデオ通話であることを通知することができる。これを受信したＭＭＥは基地局を介して、または直接ＵＥに受信ビデオ通話が発生したことを通知することができる。以後のユーザ端末は以前の実施形態、例えば、図２乃至図９に係る部分で説明した実施形態の中でどれ一つ以上と類似の方法を用いて３Ｇセルでコール設定を試みることができる。この時、前述した実施形態で発信コールは受信コールに変更され、ユーザ端末がユーザリクエスト／入力から直接号形態を検出するのではない、網から受信した情報を使用するということだけ変更される。以下、各実施形態に対して具体的に説明する。
【０１０９】
図１０は、本発明の多様な実施形態によって受信コールが発生した時、全体的なシステムの動作流れ図の一例を示す図面である。
【０１１０】
図１０を参考すれば、受信コールが発生した時、ＭＳＣ１０４０がこれを検出してＬＴＥ網(１０３０、１０２０)を介してユーザ端末１０１０に通話の種類を通知することができる。もし、受信ビデオ通話コールが発生すると、これは事業者網のＭＳＣ１０４０に到着するようになる。ＭＳＣ１０４０は到着した受信コールがビデオ通話であるかを判断することができる。
【０１１１】
もし、受信ユーザ端末１０１０がＣＳＦＢを使用するように登録された場合(例えば、ＭＭＥ１０３０と当該ＵＥ１０１０に対してＳＧｓ ａｓｓｏｃｉａｔｉｏｎを持っている場合)、１０５０段階でＭＳＣ１０４０は受信ＣＳＦＢ過程を行うためにＭＭＥ１０３０にページングリクエストメッセージ、例えばＳＧｓＡＰ＿ｐａｇｉｎｇ＿Ｒｅｑｕｅｓｔメッセージを送信することができる。この時、ＭＣＳ１０４０はＭＭＥ１０３０に発生したコールがビデオ通話なのを通知することができる。これのためにはサービス識別子(ｓｅｒｖｉｃｅ ｉｎｄｉｃａｔｏｒ)またはＳＳコード(ＳＳ ｃｏｄｅ)がビデオ通話であることを示す値と設定されることができる。さらに、実施形態によって発生したコールがビデオ通話であることを示す別途の識別子、例えばビデオ通話識別子(ｖｉｄｅｏ ｔｅｌｅｐｈｏｎｙ ｉｎｄｉｃａｔｏｒ)などがページングリクエストメッセージに含まれることもできる。
【０１１２】
これを受信したＭＭＥ１０３０は１０５５段階で受信ビデオ通話が発生したことを決定することができる。以後、ＭＭＥ１０３０は２つの方法を介して基地局１０２０、そしてユーザ端末１０１０に受信ビデオ通話が発生したということを通知することができる。
【０１１３】
第１方法は、１０６０段階でＭＭＥ１０３０が基地局１０２０に送信するＳ１ ＡＰ＿Ｐａｇｉｎｇメッセージに発生したコールがビデオ通話であることを示す情報を挿入して基地局１０２０に通知することである。この時、発生したコールがビデオ通話であることを示す情報は、例えばビデオ通話識別子(ｖｉｄｅｏ ｔｅｌｅｐｈｏｎｙ ｉｎｄｉｃａｔｏｒ)であることがあるがこれに限定するのではない。
【０１１４】
第２方法に対して説明すると、ビデオ通話が受信された場合、１０６５段階でＭＭＥ１０３０がＣＳＦＢのためのＣＳ(Ｃｉｒｃｕｉｔ Ｓｗｉｔｃｈｅｄ)ページングの代りに、ＰＳ(Ｐａｃｋｅｔ Ｓｗｉｔｃｈｅｄ)ページングを行ってユーザ端末１０１０からサービスリクエスト(ｓｅｒｖｉｃｅ ｒｅｑｕｅｓｔ)メッセージを受信することができる。そして、１０７０段階でＭＭＥ１０３０がユーザ端末１０１０に送信するＣＳサービス通知(ＣＳ ｓｅｒｖｉｃｅｎｏｔｉｆｉｃａｔｉｏｎ)メッセージに前記発生した受信コールがビデオ通話であるかを通知する情報を挿入してユーザ端末１０１０に前記ＣＳ ｓｅｒｖｉｃｅ ｎｏｔｉｆｉｃａｔｉｏｎ メッセージを送信することができる。実施形態によって、もしユーザ端末１０１０が予め接続モード(ｃｏｎｎｅｃｔｅｄ ｍｏｄｅ)であれば、前記１０６５段階のＰＳページング及びｓｅｒｖｉｃｅ Ｒｅｑｕｅｓｔメッセージの受信は省略されることができる。
【０１１５】
前記のような過程を介して基地局１０２０またはユーザ端末１０１０は発信した受信コールがビデオ通話であることを分かる。それによって、以前の実施形態(例えば、前記図２乃至図９に係る部分で説明した実施形態)を介してユーザ端末１０１０は１０７５段階で優先的に３Ｇセルでユーザ端末１０１０がスイッチングされることができるように動作することができる。この場合、本実施形態に前記図２乃至図９に係る部分で説明した実施形態のうちのいずれか１つ以上の実施形態を適用するにあたり、これら実施形態の発信コールは受信コールに変更されて適用され、基地局１０２０またはユーザ端末１０１０の発生したコールがビデオ通話であるかを感知した以後の段階から適用されることができる。これは当業者が前記図２乃至図９に係る部分で説明された実施形態を変形して適用することができるのでそれに対する具体的な説明は省略する。
【０１１６】
以上では受信コールが発生した場合、ＭＳＣがユーザ端末または基地局に通話の種類を通知する方法に対して説明した。
【０１１７】
一方、ＭＭＥが受信コールがビデオ通話であるかを感知した場合、ＭＭＥは基地局にユーザ端末に対する２Ｇセル接近が許容されないことで通知することができる。そして、これを受信した基地局は、ＣＳＦＢ過程を行う時、対象として３Ｇセルだけを考慮することができる。以下、この方法に対して説明する。
【０１１８】
図１１は、本発明の一実施形態によって受信コールが発生した時、全体的なシステムの動作流れ図の一例を示す図面である。
【０１１９】
図１１を参考すれば、ＭＭＥ１１３０が受信ビデオ通話が発生したことを感知する場合、ＭＭＥ１１３０は基地局１１２０にスイッチングの対象セルで２Ｇが禁止されたことを通知することができる。もし、受信ビデオ通話コールが発生すると、これは事業者網のＭＳＣ１１４０に到着するようになる。ＭＳＣ１１４０は到着した受信コールがビデオ通話であるかを判断することができる。この時、もし、受信ユーザ端末１１１０がＣＳＦＢを使用するように登録された場合(例えば、ＭＭＥ１１３０と当該ＵＥ１１１０に対してＳＧｓ ａｓｓｏｃｉａｔｉｏｎを持っている場合)、１１５０段階でＭＳＣ１１４０は受信ＣＳＦＢ過程を行うためにＭＭＥ１１３０にページングリクエストメッセージ、例えば、ＳＧｓＡＰ＿ｐａｇｉｎｇ＿Ｒｅｑｕｅｓｔメッセージを送信することができる。この時、ＭＣＳ１１４０はＭＭＥ１１３０に発生したコールがビデオ通話であることを通知することができる。これのためにはサービス識別子(ｓｅｒｖｉｃｅｉｎｄｉｃａｔｏｒ)またはＳＳコード(ＳＳ ｃｏｄｅ)がビデオ通話であることを示す値と設定されることができる。または、実施形態によって発生したコールがビデオ通話であることを示す別途の識別子、例えばビデオ通話識別子(ｖｉｄｅｏ ｔｅｌｅｐｈｏｎｙ ｉｎｄｉｃａｔｏｒ)などがページングリクエストメッセージに含まれることもできる。
【０１２０】
これを受信したＭＭＥ１１３０は１１５５段階で受信ビデオ通話が発生したことを決定することができる。以後、ＭＭＥ１１３０は、もしユーザ端末がアイドルモード(ｉｄｌｅ ｍｏｄｅ)であれば１１６０段階でページング(ｐａｇｉｎｇ)過程を行うことができる。
【０１２１】
そして、ＣＳＦＢ過程中に１１６５段階でＭＭＥ１１３０が基地局１１２０にＳ１リクエスト(例えば、ユーザ端末１１１０がｉｄｌｅ ｍｏｄｅであればＩｎｉｔｉａｌＣｏｎｔｅｘｔＳｅｔｕｐリクエスト、ユーザ端末１１１０がｃｏｎｎｅｃｔｅ ｄｍｏｄｅであれば、ＵＥｃｏｎｔｅｘｔ ｍｏｄｉｆｉｃａｔｉｏｎリクエスト)メッセージを送信する時、ＣＳＦＢが発生したことを示す識別子(例えば、ＣＳＦＢ ｉｎｄｉｃａｔｏｒ)と共にユーザ端末に対して２Ｇセルへのハンドオーバー(Ｈａｎｄｏｖｅｒ)が禁止されているというＨＲＬを含んで送信することができる。前記ＨＲＬは、例えば、２Ｇをｆｏｒｂｉｄｄｅｎと設定して前記Ｓ１リクエストメッセージに含まれることができる。
【０１２２】
もし、ユーザ端末１１１０が接続モード(ｃｏｎｎｅｃｔｅｄ ｍｏｄｅ)であれば、ＵＥｃｏｎｔｅｘｔ ｍｏｄｉｆｉｃａｔｉｏｎメッセージにＨＲＬを含むのではなく、前記１１６５段階の以前過程でＭＭＥ１０３０はユーザ端末１１１０まで送信されるＣＳ ｓｅｒｖｉｃｅ ｎｏｔｉｆｉｃａｔｉｏｎメッセージが含まれたダウンリンクＮＡＳトランスポート(Ｄｏｗｎｌｉｎｋ ＮＡＳ ｔｒａｎｓｐｏｒｔ)メッセージに２Ｇセル接続が禁止されていることを示すＨＲＬを含んで基地局１１２０に通知することもできる。
【０１２３】
以後、基地局１１２０はユーザ端末に対して２Ｇセル接続が禁止されたことを分かって、以後ＣＳＦＢ過程中にスイッチング対象で３Ｇだけを考慮して残り過程を行うことができる。これに対する１１７０段階乃至１１８０段階に対する具体的な動作は前記図２乃至図９に係る部分で説明した実施形態のうちで少なくとも一つの実施形態を変形して適用することができるので、これに対する具体的な説明は省略する。
【０１２４】
以上ではＭＭＥが受信ビデオ通話が発生したことを感知する場合、ＭＭＥが基地局にスイッチングの対象セルで２Ｇが禁止されたことを通知する方法に対して説明した。
【０１２５】
一方、ＭＭＥは受信ビデオ通話が発生した場合、ユーザ端末に対して２Ｇに比べて３Ｇの接続優先順位が高いように設定してユーザ端末が優先的に３Ｇセルで接続するように誘導することもできる。以下、この方法に対して説明する。
【０１２６】
図１２は、本発明の多様な実施形態によって受信コールが発生した時、全体的なシステムの動作流れ図の一例を示す図面である。図１２を参考すれば、受信ビデオ通話が発生した場合、ユーザ端末１２１０が優先的に３Ｇセルに接続するようにできる。
【０１２７】
もし、受信ビデオ通話コールが発生すると、これは事業者網のＭＳＣ１２４０に到着するようになる。ＭＳＣ１２４０は到着した受信コールがビデオ通話であるかを判断することができる。この時、もし受信ユーザ端末１２１０がＣＳＦＢを使用するように登録された場合(例えば、ＭＭＥ１２３０と当該ＵＥ１２１０に対してＳＧｓ ａｓｓｏｃｉａｔｉｏｎを持っている場合)、１２５０段階でＭＳＣ１２４０は受信ＣＳＦＢ過程を行うためにＭＭＥ１２３０にページングリクエストメッセージ、例えばＳＧｓＡＰ＿ｐａｇｉｎｇ＿Ｒｅｑｕｅｓｔメッセージを送信することができる。この時、ＭＣＳ１２４０はＭＭＥ１２３０に発生したコールがビデオ通話であることを通知することができる。これのためにはサービス識別子(ｓｅｒｖｉｃｅｉｎｄｉｃａｔｏｒ)またはＳＳコード(ＳＳ ｃｏｄｅ)がビデオ通話であることを示す値と設定されることができる。さらに、実施形態によって発生したコールがビデオ通話であることを示す別途の識別子、例えばビデオ通話識別子(ｖｉｄｅｏ ｔｅｌｅｐｈｏｎｙ ｉｎｄｉｃａｔｏｒ)などがページングリクエストメッセージに含まれることもできる。
【０１２８】
これを受信したＭＭＥ１２３０は１２５５段階で受信ビデオ通話が発生したことを決定することができる。以後、ＭＭＥ１２３０は、もしユーザ端末がアイドルモード(ｉｄｌｅ ｍｏｄｅ)であれば１２６０段階でページング(ｐａｇｉｎｇ)過程を行うことができる。
【０１２９】
そして、ＣＳＦＢ過程中に１２６５段階でＭＭＥ１２３０が基地局１２２０にＳ１リクエスト(例えば、ユーザ端末１２１０がｉｄｌｅ ｍｏｄｅであればＩｎｉｔｉａｌ  Ｃｏｎｔｅｘｔ Ｓｅｔｕｐリクエスト、ユーザ端末１２１０がｃｏｎｎｅｃｔｅｄ  ＭｏｄｅであればＵＥ ｃｏｎｔｅｘｔ ｍｏｄｉｆｉｃａｔｉｏｎ リクエスト)メッセージを送信する時、ＣＳＦＢが発生したことを示す識別子(例えば、ＣＳＦＢ ｉｎｄｉｃａｔｏｒ)と共にユーザ端末がアイドルモード(ｉｄｌｅ ｍｏｄｅ)で優先的に２Ｇより３Ｇセルを選択しなければならないことを示す相対的な優先順位をＳＰＩＤを介して通知することができる。前記ＳＰＩＤは、例えば、２Ｇをｆｏｒｂｉｄｄｅｎと設定したり、２Ｇの優先順位が最も低いこと(２Ｇｌｏｗｅｓｔ)と設定して前記Ｓ１リクエストメッセージに含まれることができる。
【０１３０】
もし、ユーザ端末１２１０が接続モード(ｃｏｎｎｅｃｔｅｄｍｏｄｅ)であれば、ＵＥ ｃｏｎｔｅｘｔ ｍｏｄｉｆｉｃａｔｉｏｎメッセージにＳＰＩＤを含むのではなく、前記１２６５段階以前の過程でＭＭＥ１２３０はユーザ端末１２１０まで送信されるＣＳｓｅｒｖｉｃｅ ｎｏｔｉｆｉｃａｔｉｏｎメッセージが含まれたＤｏｗｎｌｉｎｋ ＮＡＳ ｔｒａｎｓｐｏｒｔメッセージにユーザ端末１２１０がアイドルモード(ｉｄｌｅ ｍｏｄｅ)で優先的に２Ｇより３Ｇセルを選択しなければならないことを示す相対的な優先順位をＳＰＩＤを介して基地局１２２０に通知することができる。
【０１３１】
以後、基地局１２２０はユーザ端末１２１０に対して２Ｇより３Ｇセルに対する接続優先順位が高いことを分かる、以後、基地局１２２０はＣＳＦＢ過程中でスイッチング対象で３Ｇだけを考慮して残り過程を行うことができる。これに対する１２７０段階に対する具体的な動作は前記図２乃至図９に係る部分で説明した実施形態を変形して適用することができるので、これに対する具体的な説明は省略する。
【０１３２】
以上では受信ビデオ通話が発生した場合にユーザ端末の動作及び全体的なシステムの動作に対して説明した。
【０１３３】
以下では本発明の一実施形態によるユーザ端末及び基地局の構成に対して説明する。
【０１３４】
図１３は、本発明の一実施形態によるユーザ端末の内部構造を示したブロック構成図の一例である。図１３を参考すれば、本発明の一実施形態によるユーザ端末は無線送受信部１３１０、記憶部１３２０、制御部１３３０を含むことができる。
【０１３５】
無線送受信部１３１０はユーザ端末の無線通信のための当該データの送受信機能を行う。無線送受信部１３１０は送信される信号の周波数を上昇変換及び増幅するＲＦ送信機と、受信される信号を低雑音増幅して周波数を下降変換するＲＦ受信機などから構成されることができる。また、無線送受信部１３１０は無線チャンネルを介してデータを受信して制御部１３３０で出力し、制御部１３３０から出力されたデータを無線チャンネルを介して送信することができる。
【０１３６】
記憶部１３２０はユーザ端末の動作に必要なプログラム及びデータを記憶する。
【０１３７】
制御部１３３０はユーザ端末が本発明の実施形態によって動作するように各ブロック間の信号流れを制御する。例えば、前記制御部１３３０はビデオ通話コール設定のためのリクエストメッセージを送信し、ＣＳＦＢ(Ｃｉｒｃｕｉｔ Ｓｗｉｔｃｈｅｄ  Ｆａｌｌ Ｂａｃｋ)のためのスイッチングコマンドを受信し、前記スイッチングコマンドが指示する選択された対象セルが２Ｇセルであり、前記ユーザ端末が接続可能な３Ｇセルが存在する場合、前記３Ｇセルでスイッチングしてビデオ通話コール設定をするように制御することができる。また、基地局から測定報告リクエストメッセージを受信し、３Ｇセルに対する測定結果に対する情報のみを含む測定報告メッセージを前記基地局に送信するように制御することができる。
【０１３８】
前述した例示の以外にも、制御部１３３０は本発明の他の実施形態によってユーザ端末が動作するように制御することができる。
【０１３９】
図１４は、本発明の一実施形態による基地局の内部構造を示すブロック図である。図１４で示されたように、本発明の基地局はインターフェース部１４１０、記憶部１４２０、制御部１４３０を含むことができる。
【０１４０】
インターフェース部１４１０は基地局の有線通信のための信号処理機能を行うことができる。前記インターフェース部１４１０は無線送受信部を含むことができる。
【０１４１】
記憶部１４２０は基地局の動作に必要なプログラム及びデータを記憶する。制御部１４３０は基地局が本発明の実施形態によって動作するように各ブロック間の信号流れを制御する。例えば、制御部１４３０はビデオ通話コール設定のためのリクエストメッセージをユーザ端末から受信し、移動性管理エンティティー(ＭＭＥ:Ｍｏｂｉｌｉｔｙ Ｍａｎａｇｅｍｅｎｔ Ｅｎｔｉｔｙ)からＣＳＦＢ(Ｃｉｒｃｕｉｔ Ｓｗｉｔｃｈｅｄ  Ｆａｌｌ Ｂａｃｋ)の遂行情報を含むメッセージを受信し、前記ユーザ端末に測定報告リクエストメッセージを送信し、３Ｇセルに対する測定結果に対する情報のみを含む測定報告メッセージを前記ユーザ端末から受信し、前記受信した測定報告メッセージを用いてスイッチングする対象セルを選択し、前記ユーザ端末に前記スイッチングする対象セルの情報を含むスイッチングコマンドを送信するように制御することができる。また、前記制御部１４３０は測定報告リクエストメッセージに測定対象で３Ｇセルのみを含んで前記ユーザ端末に測定報告リクエストメッセージを送信するように制御することができる。
【０１４２】
前述した例示の以外にも、制御部１４３０は本発明の他の実施形態によって基地局が動作するように制御することができる。
【０１４３】
図１５は、本発明の一実施形態によるＭＭＥの内部構造を示すブロック図である。図１５で示されたように、本発明のＭＭＥはインターフェース部１５１０、記憶部１５２０、制御部１５３０を含むことができる。
【０１４４】
インターフェース部１５１０は、ＭＭＥの有線通信のための信号処理機能を行うことができる。
【０１４５】
前記インターフェース部１５１０は無線送受信部を含むことができる。
【０１４６】
記憶部１５２０はＭＭＥの動作に必要なプログラム及びデータを記憶する。
【０１４７】
制御部１５３０はＭＭＥが本発明の実施形態によって動作するように各ブロック間の信号流れを制御する。例えば、制御部１５３０はビデオ通話コール設定のためのリクエストメッセージをユーザ端末から受信し、基地局にＣＳＦＢ(Ｃｉｒｃｕｉｔ Ｓｗｉｔｃｈｅｄ  Ｆａｌｌ Ｂａｃｋ)の遂行情報を含むメッセージを送信するように制御することができる。また、前記制御部１５３０は、ＭＳＣ(Ｍｏｂｉｌｅ Ｓｗｉｔｃｈｉｎｇ Ｃｅｎｔｅｒ)から受信ビデオ通話コールが発生したことを示す情報を含むページング(ｐａｇｉｎｇ)メッセージを受信し、前記基地局またはユーザ端末に受信ビデオ通話コールが発生したことを示す情報を含むメッセージを送信するように制御することもできる。
【０１４８】
前記の例示の以外にも、制御部１５３０は本発明の他の実施形態によってＭＭＥが動作するように制御することができる。前述した実施形態ですべての段階は選択的に遂行の対象となるか又は省略の対象となることができる。また、各実施形態で段階は必ず順に起きる必要ではなく、後先になることができる。
【０１４９】
一方、本明細書及び図面に開示された本発明の実施形態は本発明の技術内容を容易に説明して本発明の理解を助けるために特定例を提示したものであって、本発明の範囲を限定しようとするものではない。すなわち、本発明の技術的思想に基づいて他の変形例が実施可能ということは本発明が属する技術分野で通常の知識を有する者に自明なものである。本発明の範囲は添付された請求項の合理的解釈によって決定すべきであり、本発明の等価的範囲内でのすべての変更は本発明の範囲に含まれる。
【符号の説明】
【０１５０】
１０５  ノード
１１０  ノード
１１５  ノード
１２０  ノード
１２５  ＭＭＥ
１３０  ＳｅｒｖｉｎｇＧａｔｅｗａｙ
１３５  ユーザ端末
１３１０  無線送受信部
１３２０  記憶部
１３３０  制御部
１４１０  インターフェース部
１４２０  記憶部
１４３０  制御部
１５１０  インターフェース部
１５２０  記憶部
１５３０  制御部
【図１】
0006506298.tif 000002
【図２】
0006506298.tif 000003
【図３】
0006506298.tif 000004
【図４】
0006506298.tif 000005
【図５】
0006506298.tif 000006
【図６】
0006506298.tif 000007
【図７】
0006506298.tif 000008
【図８】
0006506298.tif 000009
【図９】
0006506298.tif 000010
【図１０】
0006506298.tif 000011
【図１１】
0006506298.tif 000012
【図１２】
0006506298.tif 000013
【図１３】
0006506298.tif 000014
【図１４】
0006506298.tif 000015
【図１５】
0006506298.tif 000016